(57)【特許請求の範囲】
【請求項１】
上部フレームと、底部と、上部分割側壁と下部分割側壁とからなる分割側壁と、はね上げ側壁とを有する折り畳みコンテナーにおいて、
前記はね上げ側壁の下端水平リブの裏面には、折り畳みコンテナーが箱型に組み立てられた際に前記底部に係合される係合部が設けられており、
前記はね上げ側壁の下端水平リブの裏面には、前記係合部とは別に接触用突起が形成されているとともに、前記はね上げ側壁の内壁面には、はね上げ側壁の上部フレーム方向への回動の際に、接触用突起が接触する帯状平坦部を形成し、
前記はね上げ側壁の内壁面には、縦長凹条部を形成し、はね上げ側壁の上部フレーム方向への回動の際に、前記係合部が前記縦長凹条部に嵌合されるよう構成したことを特徴とする折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
従来、額縁状の上部フレームと、底部と、上部分割側壁と下部分割側壁とからなる分割側壁と、あおり板とからなる折り畳みコンテナーが知られている。
【０００３】
箱型に組み立てられた状態から、折り畳みコンテナーを折り畳む際には、先ず最初に、垂直状態のあおり板を、上部フレーム方向に回動させ、あおり板を、水平状態とし、その後、上部分割側壁と下部分割側壁とを、互いに重ねることにより、折り畳みコンテナーを折り畳むことができるように構成されている。
【０００４】
また、折り畳みコンテナーが、箱型に組み立てられた状態においては、ヒンジ連結部を挟んで、ヒンジ連結部付近に位置する上部分割側壁の下部と、下部分割側壁の上部に、それぞれ形成された突出部が、あおり板に形成された凹部に嵌合するように構成されている。
【０００５】
更に、あおり板の下端部に係合片を形成するとともに、底板に、係合片が係合する係合部を形成し、折り畳みコンテナーが、箱型に組み立てられた際には、あおり板に形成された係合片が、底板に形成された係合部に係合し、垂直状態のあおり板が、簡単には、水平方向に回動しないようにロックするように構成されている。
【０００６】
上述したような折り畳みコンテナーは、一例として、特許文献１に開示されている。
【先行技術文献】
【特許文献】
【０００７】
【特許文献１】登録実用新案第３０１６８２８号公報
【発明の概要】
【発明が解決しようとする課題】
【０００８】
箱型に組み立てられた状態において、箱型に組み立てられた状態の折り畳みコンテナーを折り畳む際には、先ず最初に、相対するあおり板のうちの一方のあおり板を、水平方向に回動させ、次いで、相対するあおり板のうちのもう一方のあおり板を、水平方向に回動させることになる。一方のあおり板ともう一方のあおり板とを、略同時に回動させると、あおり板同士が当接し、あおり板の回動に支障を来すという問題があった。
【０００９】
また、上述したように、一方のあおり板ともう一方のあおり板とを略同時に回動させると、あおり板に形成された係合片同士が当接し、係合片が損傷するという問題があった。
【００１０】
本発明の目的は、上述した従来の折り畳みコンテナーが有する課題を解決することにある。
【課題を解決するための手段】
【００１１】
本発明は、上述した目的を達成するために、
上部フレームと、底部と、上部分割側壁と下部分割側壁とからなる分割側壁と、はね上げ側壁とを有する折り畳みコンテナーにおいて、
前記はね上げ側壁の下端水平リブの裏面には、折り畳みコンテナーが箱型に組み立てられた際に前記底部に係合される係合部が設けられており、
前記はね上げ側壁の下端水平リブの裏面には、前記係合部とは別に接触用突起が形成されているとともに、前記はね上げ側壁の内壁面には、はね上げ側壁の上部フレーム方向への回動の際に、接触用突起が接触する帯状平坦部を形成し、
前記はね上げ側壁の内壁面には、縦長凹条部を形成し、はね上げ側壁の上部フレーム方向への回動の際に、前記係合部が前記縦長凹条部に嵌合されるよう構成したものである。
【発明の効果】
【００１２】
上部フレームと、底部と、上部分割側壁と下部分割側壁とからなる分割側壁と、はね上げ側壁とからなる折り畳みコンテナーにおいて、はね上げ側壁の下端水平リブの裏面には、接触用突起が形成されているとともに、はね上げ側壁の内壁面には、はね上げ側壁の上部フレーム方向への回動の際に、接触用突起が接触する帯状平坦部を形成したので、はね上げ側壁の上部フレーム方向への回動を円滑に行うことができ、折り畳みコンテナーの折り畳み作業の作業性が向上する。
【図面の簡単な説明】
【００１３】
【図１】図１は、本発明の折り畳みコンテナーが箱型に組み立てられた状態の斜視図である。
【図２】図２は、同じく、本発明の折り畳みコンテナーの折り畳み途中或いは組み立て途中の斜視図である。
【図３】図３は、同じく、本発明の折り畳みコンテナーの折り畳み途中或いは組み立て途中の斜視図である。
【図４】図４は、本発明の折り畳みコンテナーが折り畳まれた状態の斜視図である。
【図５】図５は、本発明の折り畳みコンテナーを構成するはね上げ側壁の外部側からの部分拡大斜視図である。
【図６】図６は、本発明の折り畳みコンテナーを構成するはね上げ側壁の内部側からの部分拡大斜視図である。
【図７】図７は、同じく、本発明の折り畳みコンテナーを構成するはね上げ側壁の内部側からの部分拡大斜視図である。
【図８】図８は、本発明の折り畳みコンテナーを構成するはね上げ側壁の一部断面を含む部分拡大斜視図である。
【図９】図９は、本発明の折り畳みコンテナーを構成する底部の部分拡大斜視図である。
【図１０】図１０は、同じく、本発明の折り畳みコンテナーを構成する底部の部分拡大斜視図である。
【図１１】図１１は、本発明の折り畳みコンテナーを構成する底部の一部断面を含む部分拡大斜視図である。
【図１２】図１２は、本発明の折り畳みコンテナーを構成する底部とはね上げ側壁との一部断面図を含む部分拡大斜視図である。
【図１３】図１３は、本発明の折り畳みコンテナーを構成するはね上げ側壁の斜視図である。
【図１４】図１４は、同じく、本発明の折り畳みコンテナーを構成するはね上げ側壁の斜視図である。
【図１５】図１５は、本発明の折り畳みコンテナーの相対するはね上げ側壁が水平方向に回動する過程の一部断面を含む部分拡大斜視図である。
【図１６】図１６は、同じく、本発明の折り畳みコンテナーの相対するはね上げ側壁が水平方向に回動する過程の一部断面を含む部分拡大斜視図である。
【発明を実施するための形態】
【００１４】
以下に、本発明の実施例について説明するが、本発明の趣旨を越えない限り何ら、本実施例に限定されるものではない。
【００１５】
先ず最初に、図１〜図４を用いて、本発明の全体構成について説明する。
【００１６】
本発明の折り畳みコンテナーも、上部フレーム１と、底部２と、上部分割側壁４と下部分割側壁５とからなる分割側壁３と、はね上げ側壁９とから構成されている。
【００１７】
折り畳みコンテナーを、図１に示されている箱型に組み立てられた状態から、図４に示されているように折り畳む際には、先ず最初に、はね上げ側壁９を、図２に示されているように、上部フレーム１方向に回動させ、はね上げ側壁９を、図３に示されているように、水平状態とし、その後、上部分割側壁４と下部分割側壁５とを、ヒンジ連結部６を中心に回動させて重ねることにより、折り畳むことができるように構成されている。
【００１８】
折り畳みコンテナーが、箱型に組み立てられた状態においては、ヒンジ連結部６を挟んで、ヒンジ連結部６付近に位置する上部分割側壁４の下部に形成された突出部４ｃ及びヒンジ連結部６付近に位置する下部分割側壁５の上部に形成された突出部５ｃが、それぞれ、はね上げ側壁９に形成された嵌合凹部９ａに嵌合するように構成されている。
【００１９】
次に、図５〜図８を用いて、はね上げ側壁９について説明する。
【００２０】
はね上げ側壁９の下端水平リブ９ｂの裏面の両端部付近には、接触用突起９ｃが垂設されており、接触用突起９ｃは、下端水平リブ９ｂの長手方向に沿った板状の本体９ｃ１と、本体９ｃ１の両端に形成された相対する側部９ｃ２とから形成されており、接触用突起９ｃは、下端水平リブ９ｂの長手方向から見て、略二等辺三角形状に形成されており、接触用突起９ｃの内面（箱型に組み立てられた際に、箱型に組み立てられた折り畳みコンテナーの内側に位置する面）は、傾斜面９ｃ’として形成されている。
【００２１】
９ｄは、下端水平リブ９ｂの裏面で、且つ、接触用突起９ｃより下端水平リブ９ｂの中央寄りに形成された一対の係合部である。係合部９ｄは、下端水平リブ９ｂの長手方向に沿って、下端水平リブ９ｂに垂設された垂直片９ｄ１と、垂直片９ｄ１の下端から、垂直片９ｄ１に対して垂直方向に、且つ、箱型に組み立てられた折り畳みコンテナーの外側方向に延在する係合片９ｄ２とから構成されている。
【００２２】
９ｅは、下端水平リブ９ｂの裏面で、且つ、係合部９ｄより下端水平リブ９ｂの中央寄りに形成された、所定の間隔を置いて形成された一対のガタ止め突起である。
【００２３】
はね上げ側壁９には、下端水平リブ９ｂの上部近傍に、下部水平リブ９ｆが形成されており、また、下端水平リブ９ｂと下部水平リブ９ｆ間に位置するはね上げ側壁９の板部９０の中央部には、後述する底部２に形成された中央係合部が挿入される中央係合孔９ｇが穿設されている。更に、中央係合孔９ｇが位置する下端水平リブ９ｂの上面には、係合突起９ｇ１が突設されている。なお、９ｈは、中央係合孔９ｇを挟持するように、下端水平リブ９ｂと下部水平リブ９ｆを架橋する補強垂直リブである。
【００２４】
次に、図９〜図１１を用いて、底部について説明する。
【００２５】
２ａは、底部２を構成する周辺側壁であり、周辺側壁２ａは、箱型に組み立てられた状態において、はね上げ側壁９の下端部が位置する周辺側壁２ａ部分（以下、はね上げ側壁側周辺側壁部と称し、符号２ａ１を付す。）と、分割側壁３が位置する周辺側壁２ａ部分（以下、分割側壁側壁部と称し、符号２ａ２を付す。）とから形成されている。
【００２６】
はね上げ側壁側周辺側壁部２ａ１と底板２ｂとにより形成される隅部には、相対する分割側壁側壁部２ａ２を架橋するように、基礎台座部２ｃが形成されている。基礎台座部２ｃの上面両端には、端部ブロック２ｄが形成されており、また、基礎台座部２ｃの上面中央部には、１つの中央ブロック２ｅが形成されており、更に、端部ブロック２ｄと中央ブロック２ｅとの間に位置する基礎台座部２ｃの上面には、中間ブロック２ｆが形成されている。
【００２７】
基礎台座部２ｃの上面に形成された端部ブロック２ｄと中間ブロック２ｆとの間には、はね上げ側壁９の下端水平リブ９ｂの裏面の両端部付近に垂設された接触用突起９ｃが嵌合される、接触用突起用嵌合凹部２ｇが形成されている。接触用突起用係合凹部２ｇには、はね上げ側壁９が略垂直に立てられた際には、はね上げ側壁９に形成された接触用突起９ｃが嵌合されるように構成されている。
【００２８】
また、基礎台座部２ｃの上面に形成された中間ブロック２ｆと中央ブロック２ｅとの間には、はね上げ側壁９の下端水平リブ９ｂの裏面に形成されたガタ止め突起９ｅが挿入されるガタ止め突起用凹部２ｈが形成されている。はね上げ側壁９が略垂直に立てられた際には、はね上げ側壁９に形成されたガタ止め突起９ｅが、ガタ止め突起用凹部２ｈに挿入されるとともに、ガタ止め突起９ｅが、中央ブロック２ｅの長手方向の側壁面２ｅ１の近傍に位置するように構成されている。このように構成することにより、折り畳みコンテナーが箱型に組み立てられた際に、はね上げ側壁９が、周辺側壁２ａの分割側壁側壁部２ａ２側に移動し、はね上げ側壁９が、ガタつくようなことを防止することができる。
【００２９】
更に、中間ブロック２ｆの底板２ｂ側に位置する側壁面２ｆ１には、はね上げ側壁９が略垂直に立てられた際に、はね上げ側壁９に形成された係合部９ｄの係合片９ｄ２が嵌合される嵌合孔２ｆ２が形成されている。
【００３０】
なお更に、中央ブロック２ｅの中央部に位置するはね上げ側壁側周辺側壁部２ａ１には、はね上げ側壁側周辺側壁部２ａ１に垂直な係合片２ｉが形成されており、係合片２ｉの裏面先端部には、係合突起２ｉ１が突設されている。はね上げ側壁９が略垂直に立てられた際には、はね上げ側壁９の下端部に形成された中央係合孔９ｇに、係合片２ｉが嵌合されるとともに、中央係合孔９ｇが位置する下端水平リブ９ｂの上面に突設された係合突起９ｇ１と、係合片２ｉの裏面先端部に突設された係合突起２ｉ１とが、図１２に示されているように、係合し、略垂直に立てられたはね上げ側壁９が、簡単には、水平方向に回動しないように構成されている。
【００３１】
次に、図１３〜図１５を用いて、はね上げ側壁９の他の構成について説明する。
【００３２】
９１は、ヒンジ部が形成されているはね上げ側壁９の上端部である。はね上げ側壁９の接触用突起９ｃが位置する上方の板部９０の内壁面９０ｂには、はね上げ側壁９の下端水平リブ９ｂから上端部９１まで延在する垂直状の帯状平坦部９２が形成されている。なお、帯状平坦部９２は、実質的な平坦部を意味し、平坦部を、曲面部として形成することもできる。
【００３３】
折り畳みコンテナーを折り畳む際には、相対するはね上げ側壁９を、上部フレーム１方向に回動させることになるが、はね上げ側壁９を、上部フレーム１方向に回動させる過程において、図１５に示されているように、相対するはね上げ側壁９のうち、一方のはね上げ側壁９の下端水平リブ９ｂに形成された接触用突起９ｃが、もう一方のはね上げ側壁９の内壁面９０ｂに形成された帯状平坦部９２に接触し、同様に、もう一方のはね上げ側壁９の下端水平リブ９ｂに形成された接触用突起９ｃが、一方のはね上げ側壁９の内壁面９０ｂに形成された帯状平坦部９２に接触するように構成されているので、接触用突起９ｃが、はね上げ側壁９の内壁面９０ｂに、引っ掛かるようなことがなく、従って、はね上げ側壁９の上部フレーム１方向への回動を円滑に行うことができ、折り畳みコンテナーの折り畳み作業の作業性が向上する。また、接触用突起９ｃ同士、及び、はね上げ側壁９の下端水平リブ９ｂに形成された係合部９ｄ同士が、当接するようなことがなく、従って、接触用突起９ｃ及び係合部９ｄの損傷を防止することができる。
【００３４】
上述したように、折り畳みコンテナーを折り畳む際には、一方のはね上げ側壁９の下端水平リブ９ｂに形成された接触用突起９ｃが、もう一方のはね上げ側壁９の内壁面９０ｂに形成された帯状平坦部９２に接触することになるが、接触用突起９ｃの内面に形成された傾斜面９ｃ’が、帯状平坦部９２に接触するように構成されているので、接触用突起９ｃが、帯状平坦部９２に引っ掛かるようなことがなく、はね上げ側壁９の上部フレーム１方向への回動を円滑に行うことができ、折り畳みコンテナーの折り畳み作業の作業性が向上する。
【００３５】
更に、図１５に示されているように、帯状平坦部９２には、はね上げ側壁９の上端部９１方向に延在するテーパー部９２ａを形成することが好ましい。このように構成することにより、上部フレーム１方向に回動の後半の回動をより円滑に行なうことができる。従って、折り畳みコンテナーの折り畳み作業の作業性がより向上する。
【００３６】
また、はね上げ側壁９の係合部９ｄが位置する上方の板部９０を、はね上げ側壁９の上端部９１から下端水平リブ９ｂ方向に向かって、板部９０の内壁面９０ｂから外壁面９０ａに向かって膨出させることにより、内壁面９０ｂには、縦長凹条部９３が形成されており、また、外壁面９０ａには、縦長凸条部９４が形成されている。
【００３７】
上述したように、折り畳みコンテナーを折り畳む際には、相対するはね上げ側壁９を、上部フレーム１方向に回動させることになるが、はね上げ側壁９を、上部フレーム１方向に回動させる過程において、図１６に示されているように、相対するはね上げ側壁９のうち、一方のはね上げ側壁９の下端水平リブ９ｂに形成された係合部９ｄが、もう一方のはね上げ側壁９の内壁面９０ｂに形成された縦長凹条部９３に嵌合され、同様に、もう一方のはね上げ側壁９の下端水平リブ９ｂに形成された係合部９ｄが、一方のはね上げ側壁９の内壁面９０ｂに形成された縦長凹条部９３に嵌合されるように構成されているので、係合部９ｄがはね上げ側壁９の内壁面９０ｂに当接し、損傷するようなことを防止することができる。
【符号の説明】
【００３８】
１・・・・・・・・・・・上部フレーム
２・・・・・・・・・・・底部
２ａ・・・・・・・・・・周辺側壁
２ｇ・・・・・・・・・・接触用突起用嵌合凹部
２ｈ・・・・・・・・・・ガタ止め突起用凹部
２ｉ・・・・・・・・・・係合片
３・・・・・・・・・・・分割側壁
４・・・・・・・・・・・上部分割側壁
５・・・・・・・・・・・下部分割側壁
９・・・・・・・・・・・はね上げ側壁
９ｃ・・・・・・・・・・接触用突起
９ｄ・・・・・・・・・・係合部
９ｅ・・・・・・・・・・ガタ止め突起
【図１】
0005769237.tif 000002
【図２】
0005769237.tif 000003
【図３】
0005769237.tif 000004
【図４】
0005769237.tif 000005
【図５】
0005769237.tif 000006
【図６】
0005769237.tif 000007
【図７】
0005769237.tif 000008
【図８】
0005769237.tif 000009
【図９】
0005769237.tif 000010
【図１０】
0005769237.tif 000011
【図１１】
0005769237.tif 000012
【図１２】
0005769237.tif 000013
【図１３】
0005769237.tif 000014
【図１４】
0005769237.tif 000015
【図１５】
0005769237.tif 000016
【図１６】
0005769237.tif 000017